【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
定着装置を電力供給状態又は電力遮断状態に制御する電力供給制御手段と、
定着モードとして、温度主体の第１のモードと、生産性主体の第２のモードの何れかに切り替える切替手段と、
ジョブの実行が指示された場合に、定着装置が電力遮断状態から電力供給状態に復帰するとき、初動処理として第１のモードを選択し、当該初動処理後の継続処理としてジョブの指示後に取得したジョブの総処理量に基づき第１のモード又は第２のモードを選択して、画像形成処理を制御する処理制御手段と、
を有する画像処理装置。
【請求項２】
前記ジョブの種類が、原稿画像を画像読取部で読み取り、当該読み取った画像情報に基づいて、前記画像形成処理を実行する複写処理であり、前記ジョブの総処理量情報が、前記画像読取部で読み取った原稿の枚数、ユーザーインターフェイスから入力される複写部数に基づいてジョブの開始指示後に演算される請求項１記載の画像処理装置。
【請求項３】
前記ジョブの種類が、画像情報を、通信回線を介して受け付け、かつユーザーインターフェイスから入力される画像形成指示に基づいて、前記画像形成処理を実行するオンデマンドプリント処理であり、前記ジョブの総処理量情報が、受け付けた画像形成指示情報に基づいてジョブの開始指示後に演算される請求項１記載の画像処理装置。
【請求項４】
前記継続処理において、前記定着モードを前記第２のモードに切り替える場合、当該第２のモードへの切り替え準備中は前記第１のモードに維持する請求項１〜請求項３の何れか１項記載の画像処理装置。
【請求項５】
前記継続処理において、前記定着モードを前記第１のモードに維持する場合、当該維持決定後は、電力の消費量を予め定めた通常時よりも低くする制御に切り替える請求項１〜請求項４の何れか１項記載の画像処理装置。
【請求項６】
前記ジョブの種類が、画像情報及び画像形成指示を、通信回線を介して受け付けて、前記画像形成処理を実行するリモートプリント処理の場合は、前記定着モードを前記第１のモード又は前記第２のモードの何れかに固定的に設定すると共に、前記処理制御手段による前記定着モードの切り替えの制御を禁止する請求項１記載の画像処理装置。
【請求項７】
前記定着装置が、定着部材に接触又は離間可能に配置された蓄熱部材を備え、
前記第１のモードが、前記蓄熱部材を前記定着部材から離間させると共に、直接前記定着部材を直接加熱しながら定着処理を実行するモードであり、
前記第２のモードが、前記蓄熱部材を前記定着部材に接触させると共に、当該蓄熱部材を加熱して熱量を蓄積することで、前記第1モードに比べて高生産で定着処理を実行するモードである請求項１〜請求項５の何れか１項記載の画像処理装置。
【請求項８】
コンピュータに、
単一の実行指示或いは複合的な実行指示を問わず、継続的に画像形成処理される期間を表すジョブの実行が指示されて、画像形成処理を実行する場合に、定着装置が電力遮断状態から電力供給状態に復帰するときの初動処理として、相対的に温度の急速立ち上げを主体とした第１のモードで画像形成処理を実行すると共に、当該初動処理後の継続処理として、前記ジョブの開始指示後に取得した前記ジョブの総処理量に基づいて、前記第１のモードに維持する、或いは相対的に生産性を主体とした第２のモードに切り替えるかを選択して画像形成処理を実行させる
定着モード切替制御プログラム。
【請求項９】
前記ジョブの種類が、原稿画像を画像読取部で読み取り、当該読み取った画像情報に基づいて、前記画像形成処理を実行する複写処理であり、前記ジョブの総処理量情報が、前記画像読取部で読み取った原稿の枚数、ユーザーインターフェイスから入力される複写部数に基づいてジョブの開始指示後に演算される請求項８記載の定着モード切替制御プログラム。
【請求項１０】
前記ジョブの種類が、画像情報を、通信回線を介して受け付け、かつユーザーインターフェイスから入力される画像形成指示に基づいて、前記画像形成処理を実行するオンデマンドプリント処理であり、前記ジョブの総処理量情報が、受け付けた画像形成指示情報に基づいてジョブの開始指示後に演算される請求項８記載の定着モード切替制御プログラム。
【手続補正２】
【補正対象書類名】明細書
【補正対象項目名】０００７
【補正方法】変更
【補正の内容】
【０００７】
請求項２に記載の発明は、前記請求項１に記載の発明において、前記ジョブの種類が、原稿画像を画像読取部で読み取り、当該読み取った画像情報に基づいて、前記画像形成処理を実行する複写処理であり、前記ジョブの総処理量情報が、前記画像読取部で読み取った原稿の枚数、ユーザーインターフェイスから入力される複写部数に基づいてジョブの開始指示後に演算される。
【手続補正３】
【補正対象書類名】明細書
【補正対象項目名】０００８
【補正方法】変更
【補正の内容】
【０００８】
請求項３に記載の発明は、前記請求項１に記載の発明において、前記ジョブの種類が、画像情報を、通信回線を介して受け付け、かつユーザーインターフェイスから入力される画像形成指示に基づいて、前記画像形成処理を実行するオンデマンドプリント処理であり、前記ジョブの総処理量情報が、受け付けた画像形成指示情報に基づいてジョブの開始指示後に演算される。
【手続補正４】
【補正対象書類名】明細書
【補正対象項目名】００１０
【補正方法】変更
【補正の内容】
【００１０】
請求項５に記載の発明は、前記請求項１〜請求項４の何れか１項記載の発明において、前記継続処理において、前記定着モードを前記第１のモードに維持する場合、当該維持決定後は、電力の消費量を予め定めた通常時よりも低くする制御に切り替える。
【手続補正５】
【補正対象書類名】明細書
【補正対象項目名】００１１
【補正方法】変更
【補正の内容】
【００１１】
請求項６に記載の発明は、前記請求項１に記載の発明において、前記ジョブの種類が、画像情報及び画像形成指示を、通信回線を介して受け付けて、前記画像形成処理を実行するリモートプリント処理の場合は、前記定着モードを前記第１のモード又は前記第２のモードの何れかに固定的に設定すると共に、前記処理制御手段による前記定着モードの切り替えの制御を禁止する。
【手続補正６】
【補正対象書類名】明細書
【補正対象項目名】００１２
【補正方法】変更
【補正の内容】
【００１２】
請求項７に記載の発明は、前記請求項６に記載の発明において、前記定着装置が、定着部材に接触又は離間可能に配置された蓄熱部材を備え、
前記第１のモードが、前記蓄熱部材を前記定着部材から離間させると共に、直接前記定着部材を直接加熱しながら定着処理を実行するモードであり、
前記第２のモードが、前記蓄熱部材を前記定着部材に接触させると共に、当該蓄熱部材を加熱して熱量を蓄積することで、前記第1モードに比べて高生産で定着処理を実行するモードである。
【手続補正７】
【補正対象書類名】明細書
【補正対象項目名】００１４
【補正方法】変更
【補正の内容】
【００１４】
請求項９に記載の発明は、前記請求項８に記載の定着モード切替制御プログラムにおいて、前記ジョブの種類が、原稿画像を画像読取部で読み取り、当該読み取った画像情報に基づいて、前記画像形成処理を実行する複写処理であり、前記ジョブの総処理量情報が、前記画像読取部で読み取った原稿の枚数、ユーザーインターフェイスから入力される複写部数に基づいてジョブの開始指示後に演算される。
【手続補正８】
【補正対象書類名】明細書
【補正対象項目名】００１５
【補正方法】変更
【補正の内容】
【００１５】
請求項１０に記載の発明は、前記請求項８に記載の定着モード切替制御プログラムにおいて、前記ジョブの種類が、画像情報を、通信回線を介して受け付け、かつユーザーインターフェイスから入力される画像形成指示に基づいて、前記画像形成処理を実行するオンデマンドプリント処理であり、前記ジョブの総処理量情報が、受け付けた画像形成指示情報に基づいてジョブの開始指示後に演算される。